(57)【特許請求の範囲】
【請求項１】
商品を選択する商品選択手段と、選択された商品の決済が完了した旨を受信した場合に当該商品を搬出する商品搬出手段とを備えた自動販売機本体と、自動販売機本体に設けられたアンテナと、商品選択手段から商品が選択された場合に自動販売機本体から当該商品の決済情報が送信され、その後、電子マネー決済サービスを利用可能な記録媒体が前記アンテナにかざされた場合に、電子マネー決済サービスによる商品の決済を開始し、商品の決済が完了した場合に決済が完了した旨を自動販売機本体に送信する一方、商品の決済が中断された場合に決済が未了である旨を自動販売機本体に送信する決済端末とを備えた自動販売機において、
前記決済端末は、商品選択手段から商品が選択された場合に自動販売機本体から選択された商品の商品情報を受信するとともに、商品の決済が中断された場合に中断された決済に係る商品の商品情報を自動販売機本体に送信し、
前記自動販売機本体は、決済端末から受信した商品情報に係る商品を選択された商品として設定し、予め定めた時間が経過するまで、あるいは決済が完了した旨を受信するまで設定した商品を保持することを特徴とする自動販売機。
【請求項２】
前記自動販売機本体は、前記決済端末から中断した決済に係る商品の商品情報を受信した場合に、前記予め定めた時間が経過するまで、あるいは決済が完了した旨を受信するまで前記商品選択手段の操作を無効化することを特徴とする請求項１に記載の自動販売機。
【請求項３】
前記商品の商品情報は、少なくとも自動販売機本体に収容され、前記商品が収納された商品収納ラックを特定するコラム番号であることを特徴とする請求項１又は２に記載の自動販売機。
【請求項４】
決済が未了である旨の受信回数を設定する決済未了受信回数設定手段を備え、該設定手段により設定された設定回数となるまで、決済を再開可能としたことを特徴とする請求項１〜３のいずれか一つに記載の自動販売機。
【請求項５】
決済が未了である旨の受信をカウントする決済未了受信回数カウント手段を備え、一取引における決済未了受信回数が予め定めた設定回数に到達した場合に取引を終了することを特徴とする請求項１〜３のいずれか一つに記載の自動販売機。
【発明の詳細な説明】
【技術分野】
【０００１】
本発明は、電子マネー決済サービスが利用可能な非接触ＩＣカードや携帯電話等の記録媒体を用いて商品を購入できるようにした自動販売機に関するものである。
【背景技術】
【０００２】
記録媒体に搭載した非接触ＩＣチップにチャージした電子マネーにより商品を購入できるようにした自動販売機は、周知となっている自動販売機（以下の説明において自動販売機本体という。）に決済端末を備えたものであって、記録媒体との間で決済（対価の収受）が完了し、自動販売機本体が決済端末から決済が完了した旨を受信した場合に、自動販売機本体が商品を搬出するようになっている。そして、決済端末と記録媒体との間における決済処理の途中で記録媒体が決済端末の通信圏から外れた場合等のように通信が中断された場合には決済未了となるが、商品選択時間（自動販売機本体において商品選択から商品選択が無効となるまでの時間）内であれば、記録媒体をかざす等することにより、決済処理を再開できるようになっている。そして、自動販売機本体が決済端末から決済処理を再開したことを知らせる決済処理状態を受信した場合には、自動販売機本体はその他の商品の選択を禁止し、商品選択された状態を維持するようになっている（例えば、特許文献１参照）。
【０００３】
【特許文献１】特許第３８９１２１３号公報
【発明の開示】
【発明が解決しようとする課題】
【０００４】
ところで、上述した自動販売機は、自動販売機本体に設けられた選択ボタンを押し替えることにより、選択した商品を順次変更することができるようになっている。このため、決済未了となった後に選択ボタンが押し替えられると、決済処理を再開した場合に決済される商品と選択された商品とが異なることになり、利用者の混乱を招くことになる。
【０００５】
本発明は、上記実情に鑑みて、利用者の混乱を招くことなく、決済未了により中断した取引を再開できる自動販売機を提供することを目的とする。
【課題を解決するための手段】
【０００６】
上記の目的を達成するために、本発明に係る自動販売機は、商品を選択する商品選択手段と、選択された商品の決済が完了した旨を受信した場合に当該商品を搬出する商品搬出手段とを備えた自動販売機本体と、自動販売機本体に設けられたアンテナと、商品選択手段から商品が選択された場合に自動販売機本体から当該商品の決済情報が送信され、その後、電子マネー決済サービスを利用可能な記録媒体が前記アンテナにかざされた場合に、電子マネー決済サービスによる商品の決済を開始し、商品の決済が完了した場合に決済が完了した旨を自動販売機本体に送信する一方、商品の決済が中断された場合に決済が未了である旨を自動販売機本体に送信する決済端末とを備えた自動販売機において、前記決済端末は、商品が選択された場合に自動販売機本体から選択された商品の商品情報を受信するとともに、商品の決済が中断された場合に中断された決済に係る商品の商品情報を自動販売機本体に送信し、前記自動販売機本体は、決済端末から受信した商品情報に係る商品を選択された商品として設定し、予め定めた時間が経過するまで、あるいは決済が完了した旨を受信するまで設定した商品を保持することを特徴とする。
【０００７】
また、本発明に係る自動販売機は、上記発明において、前記自動販売機本体は、前記決済端末から中断した決済に係る商品の商品情報を受信した場合に、前記予め定めた時間が経過するまで、あるいは決済が完了した旨を受信するまで前記商品選択手段の操作を無効化することを特徴とする。
【０００８】
また、本発明に係る自動販売機は、上記発明において、前記商品の商品情報は、少なくとも自動販売機本体に収容され、前記商品が収納された商品収納ラックを特定するコラム番号であることを特徴とする。
【０００９】
また、本発明に係る自動販売機は、上記発明において、決済が未了である旨の受信回数を設定する決済未了受信回数設定手段を備え、該設定手段により設定された設定回数となるまで、決済を再開可能としたことを特徴とする。
【００１０】
また、本発明に係る自動販売機は、上記発明において、決済が未了である旨の受信をカウントする決済未了受信回数カウント手段を備え、一取引における決済未了受信回数が予め定めた設定回数に到達した場合に取引を終了することを特徴とする。
【発明の効果】
【００１１】
本発明に係る自動販売機は、商品選択手段から商品が選択された場合に、決済端末が自動販売機本体から選択された商品の商品情報を受信するとともに、商品の決済が中断された場合に決済端末が中断された決済に係る商品情報を自動販売機本体に送信し、自動販売機本体は、決済端末から受信した商品情報に係る商品を選択された商品として設定し、予め定めた時間が経過するまで、あるいは決済が完了した旨を受信するまで設定した商品を保持するので、決済の中断から決済の完了までの間で選択された商品が変更されることがない。このため、利用者の混乱を招くことなく、決済未了により中断した取引を再開できる。
【発明を実施するための最良の形態】
【００１２】
以下に添付図面を参照して、本発明に係る自動販売機の好適な実施の形態を詳細に説明する。なお、この実施の形態によりこの発明が限定されるものではない。
【００１３】
（実施の形態１）
図１は実施の形態１である自動販売機の正面図、図２は図１に示した自動販売機のブロック図、図３は図２に示した自動販売機の制御の概略を示すシーケンス図、図４は図２に示した自動販売機の通常制御を示すシーケンス図、図５は図２に示した自動販売機の選択ボタンの押し替え制御を示すシーケンス図、図６は図２に示した自動販売機の決済再開制御を示すシーケンス図である。
【００１４】
実施の形態１である自動販売機は、非接触ＩＣカードや携帯電話等の記録媒体に搭載した非接触ＩＣチップにチャージした電子マネーにより商品を購入できるようにしたものであって、周知となっている自動販売機（以下の説明において自動販売機本体１という。）に決済端末２（図２参照）を備えたものである。
【００１５】
図１に示すように、自動販売機本体１には、前面に展示室３が設けてあり、透明パネルを介して販売する商品の商品見本４が視認可能となっている。また、透明パネルには、商品見本４と１対１で対応するように商品選択ボタン５（商品選択手段）が設けてある。商品選択ボタン５は、点灯可能に構成してある。
【００１６】
自動販売機本体１は、内部にコインメカニズム６（硬貨処理装置）、ビルバリデータ７（紙幣処理装置）が収容してあり、硬貨投入口６ａから投入された硬貨、紙幣挿入口７ａから挿入された紙幣を収受するとともに、返却レバー８を操作することにより、返却口９から釣り銭を返却するようになっている。
【００１７】
硬貨投入口６ａ及び紙幣挿入口７ａの近傍には、表示器１０が配設してある。表示器１０は、硬貨投入口６ａから硬貨が投入された場合又は紙幣挿入口７ａから紙幣が挿入された場合に投入金額を表示するようになっている。
【００１８】
図２に示すように、これら、商品選択ボタン５、コインメカニズム６、ビルバリデータ７、表示器１０は、主制御部１１に接続してあり、主制御部１１から受信した制御コマンドにしたがって制御するようになっている。具体的には、商品選択ボタン５が押下された場合に当該商品選択ボタン５に対応するコラム番号を出力するとともに、商品の選択が無効となるまで当該商品選択ボタン５を点灯するように制御するようになっている。また、このとき、当該商品選択ボタン５と対応する商品の対価を表示器１０に表示するように制御するようになっている。
【００１９】
自動販売機本体１の内部には、複数の商品収納ラック１２が収容してあり、商品収納ラック１２ごとに商品見本４と対応する商品が収容してある。商品収納ラック１２は、搬出制御部１３を介して上述した主制御部１１に接続してあり、搬出制御部１３が主制御部１１からコラム番号を含む搬出コマンドを受信した場合に、コラム番号によって特定される商品収納ラック１２から商品を搬出するようになっている。
【００２０】
決済端末２には、自動販売機本体１の前面に配設したアンテナ２１（図１参照）が接続してあり、アンテナ２１にかざされた非接触ＩＣカードあるいは携帯電話（記録媒体）にチャージされた電子マネーにより商品の決済が可能となっている。
【００２１】
決済端末２は、インターフェース２２を介して主制御部１１に接続してあり、商品選択ボタン５が押下された場合に主制御部１１（自動販売機本体１）から決済端末２に当該商品選択ボタン５に関連付けて記憶されているコラム番号（当該商品の商品情報）を含む決済情報が送信されるようになっている。
【００２２】
また、決済端末２は、主制御部１１（自動販売機本体１）から商品の決済情報が送信され、その後、電子マネーがチャージされた非接触ＩＣカードあるいは携帯電話（記録媒体）がアンテナ２１にかざされた場合に当該非接触ＩＣカードあるいは携帯電話との間で決済を開始するようになっている。
【００２３】
決済は、認証処理、読込処理、決済処理から構成され、決済処理が完了した場合には、アンテナ２１から決済端末２に決済が完了した旨が送信され、決済端末２は主制御部１１（自動販売機本体１）に決済が完了した旨及び決済情報を送信するようになっている。一方、決済途中において、非接触ＩＣカードあるいは携帯電話がアンテナ２１の通信圏から外れた場合等には、アンテナ２１が決済処理を中断し、アンテナ２１から決済端末２に決済が未了である旨が送信され、決済端末２は主制御部１１（自動販売機本体１）に決済が未了である旨及び決済情報と中断された決済に係る商品が収納されている商品収納ラック１２のコラム番号（商品の商品情報）とを送信するようになっている。
【００２４】
主制御部１１（自動販売機本体１）は、決済端末２から決済が完了した旨を受信した場合に搬出制御部１３に搬出コマンドを送信するとともに販売履歴を記憶し、決済端末２から決済が未了である旨と中断された決済に係る商品が収納されている商品収納ラック１２のコラム番号（商品の商品情報）とを受信した場合にリトライタイム（予め定めた時間）内に決済及び取引の再開を可能にするとともに中断された決済に係る商品を選択された商品として商品設定手段１１ａに設定するようになっている。そして、主制御部１１（自動販売機本体１）は、リトライタイムが経過するまで、あるいは決済端末２から決済が完了した旨を受信するまで設定した商品を商品保持手段１１ｂに保持するようになっている。このとき、主制御部１１（自動販売機本体１）は、商品選択ボタン５の操作を無効化し、その他の機能である返却レバー８の操作を無効化するとともに、コインメカニズム６が硬貨を受け入れたりビルバリデータ７が紙幣を受け入れたりすること等がないようになっている。
【００２５】
また、主制御部１１（自動販売機本体１）は、決済が未了である旨の受信をカウントする決済未了受信回数カウント手段１１ｃを備え、決済未了受信回数をカウントするようになっている。そして、一取引すなわち決済開始以降における決済未了受信回数が決済未了受信回数設定手段（例えば、図示せぬリモコン）によって予め定めた設定回数に到達した場合に取引を終了するようになっている。なお、決済未了受信回数カウント手段１１ｃは決済端末に備えるようにしても良い。
【００２６】
上述した実施の形態１である自動販売機は、現金で商品の購入を可能にするとともに、電子マネーで商品の購入を可能にするものであって、商品を購入する場合に現金と電子マネーとで対価を異ならせることができるようになっている。
【００２７】
図３に示すように、コラム番号０１に対応する商品選択ボタン５を押下することにより商品が選択されると、主制御部１１は決済端末２に決済情報としてコラム番号０１とカード引落額１００円を送信し、決済端末２はアンテナ２１に１００円の決済指示を送信する。そして、主制御部１１は、押下された商品選択ボタン５を点灯させるとともに、表示器１０に当該商品の対価（現金額）を表示する。
【００２８】
その後、図４に示すように、アンテナ２１に非接触ＩＣカードあるいは携帯電話がかざされ、認証処理、読込処理、決済処理を経て決済が完了すると、決済端末２は主制御部１１に決済完了通知及び決済情報（コラム番号０１とカード引落額１００円）を送信する。決済完了通知を受信した主制御部１１は、搬出制御部１３に搬出コマンドを送信するとともに販売履歴を記憶し、取引を終了する。
【００２９】
一方、図３及び図５に示すように、アンテナ２１に非接触ＩＣカードあるいは携帯電話がかざされることなく、コラム番号０２に対応する商品選択ボタン５を押下することにより商品が選択されると（押し替え）、主制御部１１は決済端末２に決済情報としてコラム番号０２とカード引落額１００円を送信し、決済端末２はアンテナ２１に１００円決済指示を送信する。そして主制御部１１は、押し替えられた商品選択ボタン５を点灯させるとともに、表示器１０に当該商品の対価（現金額）を表示する。
【００３０】
その後、図５に示すように、アンテナ２１に非接触ＩＣカードあるいは携帯電話がかざされ、認証処理、読込処理、決済処理を経て決済が完了すると、決済端末２は主制御部１１に決済完了通知及び決済情報（コラム番号０２とカード引落額１００円）を送信する。決済完了通知を受信した主制御部１１は、搬出制御部１３に搬出コマンドを送信するとともに販売履歴を記憶し、取引を終了する。
【００３１】
他方、図３及び図６に示すように、アンテナ２１に非接触ＩＣカードあるいは携帯電話がかざされたが、決済処理に至ることなく決済が中断すると、アンテナ２１から決済端末２に決済が未了である旨が通知される。決済が未了である旨が通知された決済端末２は主制御部１１（自動販売機本体１）に決済が未了である旨及び決済情報と中断された決済に係る商品が収納されている商品収納ラック１２のコラム番号（商品の商品情報）とを送信する。
【００３２】
決済が未了である旨とコラム番号を受信した主制御部１１（自動販売機本体１）は、リトライタイム（予め定めた時間）内に決済及び取引の再開を可能にするとともに中断された決済に係る商品を選択された商品として設定するようになっている。すなわち、決済が開始された後に商品選択ボタン５が押し替えられ、当該商品選択ボタン５が点灯している場合には、当該商品選択ボタン５を消灯し、決済に係る商品が収納されている商品のコラム番号に対応する商品選択ボタン５を点灯させることになる。そして、主制御部１１（自動販売機本体１）は、リトライタイムが経過するまで、あるいは決済端末２から決済が完了した旨を受信するまで設定した商品を保持する。そして、このとき、主制御部１１（自動販売機本体１）は、商品選択ボタン５及び返却レバー８の操作を無効化するとともに、コインメカニズム６が硬貨を受け入れたりビルバリデータ７が紙幣を受け入れたりすることがないように制御する。
【００３３】
そして、アンテナ２１に再び非接触ＩＣカードあるいは携帯電話がかざされた場合には、決済処理を再開し、認証処理、読込処理、決済処理を経て決済が完了すると、決済端末２は主制御部１１に決済完了通知及び決済情報（コラム番号０１とカード引落額１００円）を送信する。決済完了通知を受信した主制御部１１は、搬出制御部１３に搬出コマンドを送信するとともに販売履歴を記憶し、取引を終了する。
【００３４】
上述したように、実施の形態１である自動販売機によれば、商品選択ボタン５を押下することにより商品が選択された場合に、決済端末２が主制御部１１（自動販売機本体１）から選択された商品が収納してある商品収納ラック１２のコラム番号を受信するとともに、商品の決済が中断された場合に決済端末２が中断された決済に係る商品が収納されている商品収納ラック１２のコラム番号を主制御部１１（自動販売機本体１）に送信し、主制御部１１（自動販売機本体１）は、決済端末２から受信したコラム番号の商品収納ラック１２に収納されている商品を選択された商品として設定し、予め定めた時間が経過するまで、あるいは決済が完了した旨を受信するまで設定した商品を保持するので、決済の中断から決済の完了までの間で選択された商品が変更されることがない。このため、利用者の混乱を招くことなく、決済未了により中断した取引を再開できる。
【００３５】
また、実施の形態１である自動販売機は、決済が未了である旨の受信をカウントする決済未了受信回数カウント手段１１ｃを備え、一取引における決済未了受信回数が予め定めた設定回数に到達した場合に取引を終了するので、決済の再開をいたずらに繰り返す事態を回避できる。
【００３６】
（実施の形態２）
図７は本発明の実施の形態である自動販売機のブロック図、図８は図７に示した自動販売機の決済再開制御を示すシーケンス図、図９は図７に示した決済再開制御の繰り返しを示すシーケンス図である。
【００３７】
図７に示すように、実施の形態２である自動販売機は、実施の形態１である自動販売機と同様に、非接触ＩＣカードや携帯電話等の記録媒体に搭載した非接触ＩＣチップにチャージした電子マネーにより商品を購入できるようにしたものであって、周知となっている自動販売機（以下の説明において自動販売機本体１０１という。）に決済端末１０２を備えたものである。なお、実施の形態１に係る自動販売機と同一の構成については同一の符号を付して説明を省略する。
【００３８】
決済端末１０２は、実施の形態１に係る自動販売機と同様に、自動販売機本体１０１の前面に配設したアンテナ１２１が接続してあり、アンテナ１２１にかざされた非接触ＩＣカードあるいは携帯電話（記録媒体）にチャージされた電子マネーにより商品の決済が可能となっている。
【００３９】
決済端末１０２は、インターフェース１２２を介して主制御部１１１に接続してあり、商品選択ボタン５が押下された場合に主制御部１１１（自動販売機本体１０１）から決済端末に当該商品選択ボタン５に関連づけて記憶されているコラム番号（当該商品の商品情報）を含む決済情報が送信されるようになっている。
【００４０】
また、決済端末１０２は、主制御部１１１（自動販売機本体１）から商品の決済情報が送信され、その後、電子マネーがチャージされた非接触ＩＣカードあるいは携帯電話（記録媒体）がアンテナ１２１にかざされた場合に当該非接触ＩＣカードあるいは携帯電話との間で決済を開始するようになっている。
【００４１】
決済は、認証処理、読込処理、決済処理から構成され、決済処理を開始した場合には、アンテナ１２１から決済端末１０２に決済を開始した旨が送信され、決済端末１０２は、主制御部１１１（自動販売機本体１０１）に決済を開始した商品が収納されている商品収納ラック１２のコラム番号（開始した決済に係る商品の商品情報）を送信するようになっている。そして、決済が完了した場合には、アンテナ１２１から決済端末１０２に決済が完了した旨が送信され、決済端末１０２は主制御部１１１（自動販売機本体１０１）に決済が完了した旨及び決済情報を送信するようになっている。一方、決済途中において、非接触ＩＣカードあるいは携帯電話がアンテナ１２１の通信圏から外れた場合等には、アンテナ１２１が決済処理を中断し、アンテナ１２１から決済端末１０２に決済が未了である旨が送信され、決済端末１０２は主制御部１１１（自動販売機本体１０１）に決済が未了である旨及び決済情報を送信するようになっている。
【００４２】
主制御部１１１（自動販売機本体１０１）は、決済端末１０２から決済を開始した商品が収納されている商品収納ラック１２のコラム番号を受信した場合に、コラム番号に基づいて開始された決済に係る商品を選択された商品として商品設定手段１１１ａに設定するようになっている。そして、主制御部１１１（自動販売機本体１０１）は、決済が完了した旨を受信するまで、あるいは決済が未了である旨を受信した時点からリトライタイム（予め定めた時間）が経過するまで設定した商品を商品保持手段１１１ｂに保持するようになっている。このとき、主制御部１１１（自動販売機本体１０１）は、商品選択ボタン５及び返却レバー８の操作を無効化するとともに、コインメカニズム６が硬貨を受け入れたりビルバリデータ７が紙幣を受け入れたりすることがないようになっている。
【００４３】
そして、主制御部１１１（自動販売機本体１０１）は、決済端末１０２から決済が完了した旨を受信した場合に搬出制御部１３に搬出コマンドを送信するとともに販売履歴を記憶し、決済端末１０２から決済が未了である旨を受信した場合にリトライタイム（予め定めた時間）内に決済及び取引の再開を可能にするようになっている。
【００４４】
また、主制御部１１１（自動販売機本体１０１）は、決済が未了である旨の受信をカウントする決済未了受信回数カウント手段１１１ｃを備え、決済未了受信回数をカウントするようになっている。そして、一取引すなわち決済開始以降における決済未了受信回数が決済未了受信回数設定手段（例えば、図示せぬリモコン）によって予め定めた設定回数に到達した場合に取引を終了するようになっている。なお、決済未了受信回数カウント手段１１１ｃは決済端末１０２に備えるようにしても良い。
【００４５】
上述した実施の形態２である自動販売機は、実施の形態１である自動販売機と同様に、現金で商品の購入を可能にするとともに、電子マネーで商品の購入を可能にするものであって、商品を購入する場合に現金と電子マネーとで対価を異なられることができるようになっている。
【００４６】
図８に示すように、コラム番号０１に対応する商品選択ボタンを押下することにより商品が選択されると、主制御部１１１は決済端末１０２に決済情報としてコラム番号０１とカード引落額１００円を送信し、決済端末１０２はアンテナ１２１に１００円の決済指示を送信する。そして、主制御部１１１は、押下された商品選択ボタン５を点灯させるとともに、表示器１０に当該商品の対価（現金額）を表示する。
【００４７】
その後、アンテナ１２１に非接触ＩＣカードあるいは携帯電話がかざされ、決済処理が開始されると、決済端末１０２は主制御部１１１（自動販売機本体１０１）に決済を開始した商品が収納されている商品収納ラック１２のコラム番号（開始した決済に係る商品の商品情報）を送信する。
【００４８】
決済端末１０２からコラム番号を受信した主制御部１１１（自動販売機本体１０１）は、コラム番号に基づいて開始された決済に係る商品を選択された商品として設定する。そして、主制御部１１１（自動販売機本体１０１）は、決済端末１０２から決済が完了した旨を受信するまで、あるいは決済が未了である旨を受信した時点からリトライタイム（予め定めた時間）が経過するまで設定した商品を保持する。このとき、主制御部１１１（自動販売機本体１０１）は、商品選択ボタン５の操作を無効化し、その他の機能である返却レバー８の操作を無効化するとともに、コインメカニズム６が硬貨を受け入れたりビルバリデータ７が紙幣を受け入れたりすること等がないようにする。
【００４９】
そして、主制御部１１１（自動販売機本体１０１）は、決済端末１０２から決済が完了した旨を受信した場合に搬出制御部１３に搬出コマンドを送信するとともに販売履歴を記憶し、決済端末１０２から決済が未了である旨を受信した場合にリトライタイム（予め定めた時間）内に決済及び取引の再開を可能にする。
【００５０】
上述したように、実施の形態２である自動販売機によれば、商品選択ボタン５を押下することにより商品が選択された場合に、決済端末１０２が主制御部１１１（自動販売機本体１０１）から選択された商品が収納してある商品収納ラック１２のコラム番号を受信するとともに、商品の決済を開始した場合に開始した決済に係る商品が収納されている商品収納ラック１２のコラム番号を主制御部１１１（自動販売機本体１０１）に送信し、主制御部１１１（自動販売機本体１０１）は、決済端末１０２から受信したコラム番号の商品収納ラック１２に収納されている商品を選択された商品として設定し、決済が完了した旨を受信するまで、あるいは決済が未了である旨を受信した時点から予め定めた時間が経過するまで設定した商品を保持するので、決済の開始から決済の完了までの間で選択された商品が変更されることがない。このため、利用者の混乱を招くことなく、決済未了により中断した取引を再開できる。
【００５１】
図９に示すように、実施の形態２である自動販売機は、決済が未了である旨を受信するごとに決済及び取引の再開を可能にするが、決済が未了である旨の受信回数をカウントする決済未了受信回数カウント手段１１１ｃを設けたので、一取引における決済未了受信回数が予め定めた設定回数に到達した場合に取引を終了するので、決済の再開をいたずらに繰り返す事態を回避できる。
【００５２】
なお、実施の形態２である自動販売機は、図７に示すように、報知器１１４を備えることが望ましい。報知器１１４は、表示または音声（いずれか一方でも良い）によって決済中であることを利用者に報知するためのものであって、開始した決済にかかる商品の商品情報を受信した時点から決済が完了した旨を受信する時点まで、あるいは決済が未了である旨を受信した後にリトライタイム（予め定めた時間）が経過した時点まで決済中である旨を報知するように制御される。
【図面の簡単な説明】
【００５３】
【図１】本発明の実施の形態１である自動販売機の正面図である。
【図２】図１に示した自動販売機のブロック図である。
【図３】図２に示した自動販売機の制御の概略を示すシーケンス図である。
【図４】図２に示した自動販売機の通常制御を示すシーケンス図である。
【図５】図２に示した自動販売機の選択ボタンの押し替え制御を示すシーケンス図である。
【図６】図２に示した自動販売機の決済再開制御を示すシーケンス図である。
【図７】本発明の実施の形態２である自動販売機のブロック図である。
【図８】図７に示した自動販売機の決済再開制御を示すシーケンス図である。
【図９】図７に示した自動販売機の決済再開制御の繰り返しを示すシーケンス図である。
【符号の説明】
【００５４】
１    自動販売機本体
２    決済端末
５    商品選択ボタン
６    コインメカニズム
７    ビルバリデータ
８    返却レバー
１０    表示器
１１    主制御部
１１ａ    商品設定手段
１１ｂ    商品保持手段
１１ｃ    決済未了受信回数カウント手段
１２    商品収納ラック
１３    搬出制御部
２１    アンテナ
１０１    自動販売機本体
１０２    決済端末
１１１    主制御部
１１１ａ    商品設定手段
１１１ｂ    商品保持手段
１１１ｃ    決済未了受信回数カウント手段
１１４    報知器
１２１    アンテナ
【図１】
0004582226.tif 000002
【図２】
0004582226.tif 000003
【図３】
0004582226.tif 000004
【図４】
0004582226.tif 000005
【図５】
0004582226.tif 000006
【図６】
0004582226.tif 000007
【図７】
0004582226.tif 000008
【図８】
0004582226.tif 000009
【図９】
0004582226.tif 000010